(57)【要約】      （修正有）【課題】シンク縁でまな板を安全に使用できて、流し台も効率よく使いやすくしたシンクのまな板スタンドを提供する。【解決手段】流し台シンク６の前面を固定挟み４と内側を挟み板２で挟み、一体の天板１の上部の天板スライド溝と下部の固定ストッパー３で固定する。シンク縁６の厚みは天板スライド溝で開幅自在としている。まな板スタンド本体はシンク縁で安定しまな板を載せ安全に使用し、まな板スタンド本体は着脱自在としている。【選択図】図１
0003136696.tif 000002
【実用新案登録請求の範囲】
【請求項１】
水平な天板にスライド溝を設けた一体の下部にストッパーを有する当該挟み板を前後に設け、台所のシンク縁の厚さに挟み板を開幅しシンク縁を挟み、挟み板をストッパーで固定する。天板と挟み板の一体の装置をシンク縁に挟み固定、シンク縁で安定した天板にまな板を載せ使用する。着脱自在としたところを特徴とする、まな板スタンド
【考案の詳細な説明】
【技術分野】
【０００１】本考案は、水平な天板とその下部に挟み板を設け、台所のシンク縁を挟み固定し、まな板を載せる装置に関するものである。
【背景技術】
【０００２】厨房や台所の多くでは、まな板をシンク手前にずらし片方をシンク縁に載せ不安定な状態、でまな板を使用していた。
【考案の開示】
【考案が解決しようとする課題】
【０００３】従来の台所のシンクに調理の材料などを置くと、まな板を置く場所が狭く他の場所を利用するのは効率が悪い。従って、シンク縁を挟み板で挟み固定し、その上部の水平な天板にまな板を載せ、使いやすくシンク縁でまな板を安定させ安全に使用が可能になり前述の欠点を解決しようとするものである。
【課題を解決するための手段】
【０００４】本考案は、台所のシンクを効率よく使える、まな板をシンク縁で安全に使用する装置で、スライド溝を設けた水平な天板と下部にシンク縁幅に合わせる開幅自在の挟み板でシンク縁を挟みストッパーで挟み板を固定する、天板と挟み板の一体の装置は着脱自在で問題点を解決している。
【考案の効果】
【０００５】上述のように、本考案のまな板スタンドをシンク縁に挟み固定し、シンク縁でまな板が安全に使いやすくなり、更に流し台も広く効率よく使用できる、且つまな板スタンドは他の物を載せることにも便利に役立つ。
【考案の実施するための最良の形態】
【０００６】まな板スタンド天板のスライド溝で天板下部の挟み板をシンク縁の幅に合わせスライドし開幅する、挟み板はシンク縁の上から挟み、挟み板と天板のスライド溝をストッパーで固定する、まな板スタンド本体の挟み板はシンク縁を着脱自在としている。
【実施例】
【０００７】以下、添付図面に従って一実施例を説明する、１は耐錆性のステンレス等の耐久性素材でまな板スタンド本体上部の水平に位置する天板、挟み板２は固定挟みの４とシンク縁６を挟み、３の固定ストッパーと３ａの固定ボルトで５の天板スライド溝の上下で固定する、１の天板４の固定挟み２の挟み板が一体となり、まな板スタンド本体シンク縁に着脱自在としている。【０００８】４の固定挟みは１の天板の下部に垂直に具備して６のシンク縁手前に圧着させ、７のシンク内側を２の挟み板が天板スライド溝５をスライド開幅しシンク縁幅に合わせ３ａの固定ボルトと３の固定ストッパーで固定する。【０００９】本考案の一実施例は上述のように構成しているから１の水平な天板にまな板８を載せ安全に使用することができ、シンクのスペースも有効に使用できる。
【図面の簡単な説明】
【００１０】
【図１】本考案のまな板スタンドの一実施例を示す側面図である。
【図２】本まな板スタンドの平面図である。
【符号の説明】
【００１１】１  天板
２  挟み板
３  固定ストッパー
４  固定挟み
５  天板スライド溝
６  シンク縁
７  シンク
８  まな板
【図１】
0003136696.tif 000003
【図２】
0003136696.tif 000004
【手続補正書】
【提出日】平成19年7月19日(2007.7.19)
【手続補正１】
【補正対象書類名】実用新案登録請求の範囲
【補正対象項目名】全文
【補正方法】変更
【補正の内容】
【実用新案登録請求の範囲】
【請求項１】
シンク縁に平らな天板を載せ、天板の前下部に挟み板を設け中央にスライド溝を設けるとともに、スライド溝の下部に挟み板を設け、シンク縁の前後を挟みストッパーで固定する、シンク縁で固定したまな板スタンドの天板にまな板を載せ安全に包丁を使用するのを特長とするまな板スタンド。
【手続補正２】
【補正対象書類名】明細書
【補正対象項目名】全文
【補正方法】変更
【補正の内容】
【考案の詳細な説明】
【技術分野】
【０００１】本考案は、平板の天板とその下部に具備する挟み板を台所のシンク縁に固定し、まな板を載せ包丁を安全に使用する装置に関するものである。
【背景技術】
【０００２】従来の台所のシンクでまな板を使う場合、まな板をシンク手前にずらし片方をシンク縁に載せ不安定な状態でまな板と包丁を使用していた。
【考案の開示】
【考案が解決しようとする課題】
【０００３】従来の台所のシンクに調理の材料などを置くとまな板を置く場所が少なく、他の場所を利用するには不便で、従って不安定でもシンク手前縁にまな板を載せ、包丁を使っていた。
【課題を解決するための手段】
【０００４】本考案は、台所のシンク縁に安全にまな板を載せ包丁が使えるよう、平板の天板の中心にスライドさせる溝を設けると共に、そのスライド溝の下部に挟み板を設け、シンク縁の厚さにはスライド溝を移動し合わせ、前後で挟みストッパーで固定、天板にまな板を載せる挟み板と、一体の装置にまな板を置き包丁を使うことにより問題点を解決している。
【考案の効果】
【０００５】  上述のように、本考案のまな板スタンドをシンク縁に固定し、平らな天板にまな板を載せ安全に包丁を使えるようになり、且つ流し台を広く使用でき、まな板スタンドは他の物を載せることにも役立つ。
【考案の実施するための最良の形態】
【０００６】  まな板スタンドのまな板を載せる天板は水平で、天板を固定する下部に具備する挟み板は、天板の前下部の固定挟みとスライド溝を移動する挟み板で、シンクの縁幅に合わせ前後で挟み、ストッパーで固定する、まな板スタンド本体はシンク縁を着脱自在としている。
【実施例】
【０００７】以下、添付図面に従って一実施例を説明する。１は耐錆性のステンレスやアルミ、プラスチック等の耐久性素材で、まな板スタンド本体上部の水平な天板１と４の固定挟みと２の挟み板をシンク縁に圧着させ、挟み板２と固定挟み４でシンク縁６を前後で挟み、３の固定ストッパーと３ａの固定ボルトが５の天板スライド溝を上下で固定している。【０００８】４の固定挟みは１の天板の前下部に垂直に具備して６のシンク縁手前に圧着し、７のシンクの縁６を、挟み板２が天板スライド溝５を移動し、６のシンク縁幅に合わせ３ａの固定ボルトと３の固定ストッパーで固定する。【０００９】本考案の一実施例は上述のように構成しているから、１の水平な天板にまな板８を載せ安全に包丁を使用することができ、シンクを広く有効に使用できる。
【図面の簡単な説明】
【００１０】
【図１】本考案のまな板スタンドの一実施例を示す側面図である。
【図２】本まな板スタンドの平面図である。
【符号の説明】
【００１１】１  天板
２  挟み板
３  固定ストッパー
４  固定挟み
５  天板スライド溝
６  シンク縁
７  シンク
８  まな板
【手続補正３】
【補正対象書類名】図面
【補正対象項目名】全図
【補正方法】変更
【補正の内容】
【図１】
0003136696.tif 000005